(57)【要約】【課題】  スピーカの数が多い場合でも小規模ハードウェアで実現可能な、実用性の高い音声調整用ノイズ発生装置と方法を提供する。【解決手段】  音声処理ユニット２０のＤＳＰ２１は、操作ユニット１０からのスピーカ種別指定に応じてノイズの各供給先を選択し、各供給先へのノイズ供給経路を確立する。ステレオ用スピーカ指定時には、ノイズＮａの供給先に左側のステレオ用スピーカＳＴ−Ｌ、ノイズＮｂの供給先に右側のステレオ用スピーカＳＴ−Ｒを選択する。サラウンド用スピーカ指定時には、ノイズＮａの供給先に前方左側と後方右側のサラウンド用スピーカＬ，ＲＳ、ノイズＮｂの供給先に前方右側と後方左側のサラウンド用スピーカＲ，ＬＳ、ノイズＮｃの供給先に前方中央のサラウンド用スピーカＣを選択する。ノイズ発生器２０１〜２０３によりノイズを発生させてセレクタ２２から出力し、Ｄ／Ａ変換器２２により各供給先のスピーカに供給する。【選択図】  図１
2006094129.tif 000002
【特許請求の範囲】
【請求項１】
前後左右を持つ音場空間を構成する複数のスピーカの音声調整を行うために複数のノイズを発生させる音声調整用ノイズ発生装置において、
前記複数のノイズの各供給先となるスピーカを前記複数のスピーカの中から選択して当該スピーカに対するノイズ供給を制御する制御手段と、
前記複数のノイズを発生する複数のノイズ発生手段と、
前記複数のノイズを各供給先のスピーカに供給するノイズ供給手段を備え、
前記制御手段は、第１のノイズの供給先として、前記音場空間の前方左側に配置されたスピーカと後方右側に配置されたスピーカを選択し、第２のノイズの供給先として、音場空間の前方右側に配置されたスピーカと後方左側に配置されたスピーカを選択するように構成される
ことを特徴とする音声調整用ノイズ発生装置。
【請求項２】
ステレオ用スピーカとサラウンド用スピーカのいずれであるかを示すスピーカ種別の指定を入力する指定入力手段を備え、
前記音場空間の前方に、左右のステレオ用スピーカＳＴ−Ｌ，ＳＴ−Ｒと左右のサラウンド用スピーカＬ，Ｒが配置され、音場空間の後方に、左右のサラウンド用スピーカＬＳ，ＲＳが配置されている場合に、
前記制御手段は、
前記スピーカ種別の指定がステレオ用スピーカである場合に、第１のノイズの供給先として、左側のステレオ用スピーカＳＴ−Ｌを選択すると同時に、第２のノイズの供給先として、右側のステレオ用スピーカＳＴ−Ｒを選択し、
前記スピーカ種別の指定がサラウンド用スピーカである場合に、第１のノイズの供給先として、前方左側および後方右側のサラウンド用スピーカＬ，ＲＳを選択し、第２のノイズの供給先として、前方右側および後方左側のサラウンド用スピーカＲ，ＬＳを選択するように構成される
ことを特徴とする請求項１に記載の音声調整用ノイズ発生装置。
【請求項３】
前後左右を持つ音場空間を構成する複数のスピーカの音声調整を行うために複数のノイズを発生させる音声調整用ノイズ発生方法において、
制御手段により、前記複数のノイズの各供給先となるスピーカを前記複数のスピーカの中から選択して当該スピーカに対するノイズ供給を制御する制御ステップと、
複数のノイズ発生手段により、前記複数のノイズを発生するノイズ発生ステップと、
ノイズ供給手段により、前記複数のノイズを各供給先のスピーカに供給するノイズ供給ステップを有し、
前記制御ステップは、第１のノイズの供給先として、前記音場空間の前方左側に配置されたスピーカと後方右側に配置されたスピーカを選択し、第２のノイズの供給先として、音場空間の前方右側に配置されたスピーカと後方左側に配置されたスピーカを選択するステップを含む
ことを特徴とする音声調整用ノイズ発生方法。
【請求項４】
指定入力手段により、ステレオ用スピーカとサラウンド用スピーカのいずれであるかを示すスピーカ種別の指定を入力する指定入力ステップを有し、
前記音場空間の前方に、左右のステレオ用スピーカＳＴ−Ｌ，ＳＴ−Ｒと左右のサラウンド用スピーカＬ，Ｒが配置され、音場空間の後方に、左右のサラウンド用スピーカＬＳ，ＲＳが配置されている場合に、
前記制御ステップは、
前記スピーカ種別の指定がステレオ用スピーカである場合に、第１のノイズの供給先として、左側のステレオ用スピーカＳＴ−Ｌを選択すると同時に、第２のノイズの供給先として、右側のステレオ用スピーカＳＴ−Ｒを選択するステップと、
前記スピーカ種別の指定がサラウンド用スピーカである場合に、第１のノイズの供給先として、前方左側および後方右側のサラウンド用スピーカＬ，ＲＳを選択し、第２のノイズの供給先として、前方右側および後方左側のサラウンド用スピーカＲ，ＬＳを選択するステップを含む
ことを特徴とする請求項３に記載の音声調整用ノイズ発生方法。
【発明の詳細な説明】
【技術分野】
【０００１】
本発明は、前後左右を持つ音場空間を構成する複数のスピーカの音声調整を行うためにノイズを発生させる技術に関するものである。
【背景技術】
【０００２】
従来、スタジオ等の音場空間においては、左右のステレオ用スピーカからなるスピーカシステムの音声調整を行うために、聴覚チェック用のノイズを音声出力させるノイズ発生装置が使用されている。このようなノイズ発生装置においては、一般的に、ホワイトノイズをローパスフィルタに通して聴覚的に平坦にしたピンクノイズが使用されている。
【０００３】
また、左右のステレオ用スピーカから同じノイズを音声出力させると、人間の聴覚特性により、そのノイズが仮想センター部分に定位されて広がりのないノイズとなってしまうため、このような不都合を防止するために、左右のステレオ用スピーカから無相関のノイズを音声出力させるようにしている。
【０００４】
一方、近年の傾向として、音場空間を構成するために、左右のステレオ用スピーカに加えて、複数のサラウンド用スピーカを配置するケースが多くなっている。
【特許文献１】特開平５−３００６００
【特許文献２】特開平６−７０３９２
【発明の開示】
【発明が解決しようとする課題】
【０００５】
しかしながら、上記のような従来のノイズ発生装置においては、個々のスピーカごとに無相関のノイズを生成していたため、スピーカの数が増えると、その分だけハードウェアの規模が大きくなってしまい、実用性が低下するという問題があった。
【０００６】
本発明は、上記のような従来技術の問題点を解決するために提案されたものであり、その目的は、スピーカの数が多い場合でも小規模ハードウェアで実現可能な、実用性の高い音声調整用ノイズ発生装置と方法を提供することである。
【課題を解決するための手段】
【０００７】
本発明は、上記目的を達成するために、人間の聴覚特性に基づいて、特定の位置関係にある複数のスピーカから同一のノイズを出力させることにより、聴覚的なノイズの広がりを確保しながら、しかも、発生させるノイズを少なくして、スピーカの数が多い場合でも小規模ハードウェアで実現できるようにしたものである。
【０００８】
請求項１の発明は、前後左右を持つ音場空間を構成する複数のスピーカの音声調整を行うためにノイズを発生させる音声調整用ノイズ発生装置において、複数のノイズの各供給先となるスピーカを前記複数のスピーカの中から選択して当該スピーカに対するノイズ供給を制御する制御手段と、複数のノイズを発生する複数のノイズ発生手段と、複数のノイズを各供給先のスピーカに供給するノイズ供給手段を備え、制御手段が次のように構成されることを特徴としている。
【０００９】
すなわち、制御手段は、第１のノイズの供給先として、音場空間の前方左側に配置されたスピーカと後方右側に配置されたスピーカを選択し、第２のノイズの供給先として、音場空間の前方右側に配置されたスピーカと後方左側に配置されたスピーカを選択するように構成される。
【００１０】
請求項３の発明は、請求項１の発明を方法の観点から把握したものであり、前後左右を持つ音場空間を構成する複数のスピーカの音声調整を行うためにノイズを発生させる音声調整用ノイズ発生方法において、請求項１の発明における各手段の機能に対応する制御ステップ、ノイズ発生ステップ、およびノイズ供給ステップを有することを特徴としている。
【００１１】
以上のような発明によれば、音場空間の前方左側に配置されたスピーカと後方右側に配置されたスピーカから第１のノイズを出力し、音場空間の前方右側に配置されたスピーカと後方左側に配置されたスピーカから第２のノイズを出力することにより、聴覚的なノイズの広がりを確保しながら、しかも、発生させるノイズを少なくすることができる。
【００１２】
すなわち、人間の聴覚特性として、前後間の音源定位は曖昧であるため、音場空間における前方の左右片側と、後方の左右反対側という位置関係にある複数のスピーカから同一のノイズを出力した場合には、ノイズがセンター部分に定位されることはなく、聴覚的なノイズの広がりは確保される。そして、前方と後方のそれぞれにおいて左右に存在する計４つ以上のスピーカに対して、２種類のノイズだけを発生させればよいため、発生させるノイズを少なくすることができる。
【００１３】
請求項２の発明は、請求項１の音声調整用ノイズ発生装置において、ステレオ用スピーカとサラウンド用スピーカのいずれであるかを示すスピーカ種別の指定を入力する指定入力手段を備え、音場空間の前方に、左右のステレオ用スピーカＳＴ−Ｌ，ＳＴ−Ｒと左右のサラウンド用スピーカＬ，Ｒが配置され、音場空間の後方に、左右のサラウンド用スピーカＬＳ，ＲＳが配置されている場合に、制御手段が次のように構成されることを特徴としている。
【００１４】
すなわち、制御手段は、スピーカ種別の指定がステレオ用スピーカである場合に、第１のノイズの供給先として、左側のステレオ用スピーカＳＴ−Ｌを選択すると同時に、第２のノイズの供給先として、右側のステレオ用スピーカＳＴ−Ｒを選択するように構成される。制御手段はまた、スピーカ種別の指定がサラウンド用スピーカである場合に、第１のノイズの供給先として、前方左側および後方右側のサラウンド用スピーカＬ，ＲＳを選択し、第２のノイズの供給先として、前方右側および後方左側のサラウンド用スピーカＲ，ＬＳを選択するように構成される。
【００１５】
請求項４の発明は、請求項２の発明を方法の観点から把握したものであり、請求項３の音声調整用ノイズ発生方法において、請求項２の発明における指定入力手段の機能に対応する指定入力ステップを有し、また、請求項２の発明における６つのスピーカが配置されている場合に、制御ステップが、請求項２の発明における制御手段の各機能に対応する各ステップを含むことを特徴としている。
【００１６】
以上のような発明によれば、音場空間における前方左側のステレオ用スピーカＳＴ−Ｌと、前方左側および後方右側のサラウンド用スピーカＬ，ＲＳという３つのスピーカから第１のノイズを出力し、前方右側のステレオ用スピーカＳＴ−Ｒと、前方右側および後方左側のサラウンド用スピーカＲ，ＬＳという３つのスピーカから第２のノイズを出力することができる。
【００１７】
この場合、計６つのスピーカに対して、２種類のノイズだけを発生させればよいため、スピーカの数に対して発生させるノイズをさらに少なくすることができる。また、一般的に、ステレオ用スピーカとサラウンド用スピーカから同時にノイズを出力させるという使用法は考えられないので、前方の左右同じ側のステレオ用スピーカとサラウンド用スピーカから出力させるノイズを同一としても不都合はない。
【発明の効果】
【００１８】
以上のように、本発明によれば、人間の聴覚特性に基づいて、特定の位置関係にある複数のスピーカから同一のノイズを出力させることにより、聴覚的なノイズの広がりを確保しながら、しかも、発生させるノイズを少なくすることができるため、スピーカの数が多い場合でも小規模ハードウェアで実現可能な、実用性の高い音声調整用ノイズ発生装置と方法を提供することができる。
【発明を実施するための最良の形態】
【００１９】
以下には、本発明を実施するための最良の形態（以下「実施形態」と呼ぶ）について図面を参照して説明する。
【００２０】
〔１．構成〕
図１は、本発明を適用した１つの実施形態に係る音声調整用ノイズ発生装置を示す構成図である。
【００２１】
この図１に示すように、本実施形態の音声調整用ノイズ発生装置は、操作ユニット１０と音声処理ユニット２０とから構成されている。
【００２２】
ここで、操作ユニット１０は、ユーザの入力操作に応じて、スピーカ種別の指定を入力する入力部１１と、入力されたスピーカ種別を音声処理ユニット２０に出力する信号出力部１２を備えている。なお、本実施形態においては、スピーカ種別として、「ステレオ用スピーカ」と「サラウンド用スピーカ」の２種類のいずれかを指定するようになっている。
【００２３】
音声処理ユニット２０は、デジタルシグナルプロセッサ（以下には、ＤＳＰと略称する）２１とＤ／Ａ変換器２２を備えている。ＤＳＰ２１は、複数のノイズの各供給先となるスピーカを選択して当該スピーカに対するノイズ供給を制御する制御手段であり、互いに異なるピンクノイズＮａ〜Ｎｃを発生する３つのノイズ発生器（ノイズ発生手段）２０１〜２０３と、ピンクノイズＮａ〜Ｎｃの各供給先を選択するセレクタ２１０を含む。また、Ｄ／Ａ変換器２２は、セレクタ２１０から出力されたデジタル信号をアナログ信号に変換して各供給先のスピーカに供給するノイズ供給手段である。
【００２４】
図２は、図１の音声調整用ノイズ発生装置によるノイズ供給先となるスピーカシステムの配置と供給するノイズを示す図である。この図２に示すように、スピーカシステムは、２つのステレオ用スピーカＳＴ−Ｌ，ＳＴ−Ｒと、５つのサラウンド用スピーカＬ，Ｒ，Ｃ，ＬＳ，ＲＳ、という計７つのスピーカから構成されている。
【００２５】
すなわち、前後左右を持つ音場空間の前方には、左右のステレオ用スピーカＳＴ−Ｌ，ＳＴ−Ｒと、左右および中央のサラウンド用スピーカＬ，Ｒ，Ｃが配置され、音場空間の後方には、左右のサラウンド用スピーカＬＳ，ＲＳが配置されている。なお、図２の中央に示すＰ点は、聴覚チェックを行うユーザの聴取位置を示している。
【００２６】
〔２．動作〕
図３は、以上のような構成を有する本実施形態の音声調整用ノイズ発生装置の動作を示すフローチャートである。
【００２７】
この図３に示すように、操作ユニット１０上で、ユーザの入力操作に応じて、入力部１１により、「スピーカ種別の指定」を入力すると、この入力された「スピーカ種別の指定」は、信号出力部１２から音声処理ユニット２０に向けて出力される（Ｓ１０）。
【００２８】
音声処理ユニット２０において、ＤＳＰ２１は、操作ユニット１０から出力された「スピーカ種別の指定」を取得し、この「スピーカ種別の指定」に応じて、セレクタ２１０のモードを切り替えることにより、ノイズの各供給先となるスピーカを選択し、当該スピーカに対するノイズ供給経路を確立する（Ｓ２０）。このスピーカ選択・ノイズ供給経路確立の詳細は、次の通りである。
【００２９】
まず、「スピーカ種別の指定」が「ステレオ用スピーカの指定」である場合（Ｓ２１のＹＥＳ）には、ＤＳＰ２１は、セレクタ２１０をステレオ用のモードに切り替えることにより、ノイズＮａの供給先として、左側のステレオ用スピーカＳＴ−Ｌを選択し、ノイズＮｂの供給先として、右側のステレオ用スピーカＳＴ−Ｒを選択する（Ｓ２２）。
【００３０】
また、「スピーカ種別の指定」が「サラウンド用スピーカの指定」である場合（Ｓ２１のＮＯ）には、ＤＳＰ２１は、セレクタ２１０をサラウンド用のモードに切り替えることにより、ノイズＮａの供給先として、前方左側および後方右側のサラウンド用スピーカＬ，ＲＳを選択し、ノイズＮｂの供給先として、前方右側および後方左側のサラウンド用スピーカＲ，ＬＳを選択し、ノイズＮｃの供給先として、前方中央のサラウンド用スピーカＣを選択する（Ｓ２３）。
【００３１】
セレクタ２１０を切り替えてスピーカを選択し、各スピーカへのノイズ供給経路を確立した後、ＤＳＰ２１は、必要なノイズ発生器を起動して供給するノイズを発生させ、セレクタ２２から各スピーカに向けて出力させる（Ｓ３０）。Ｄ／Ａ変換器２２は、セレクタ２１０から出力されたデジタル信号をアナログ信号に変換して各供給先のスピーカに供給する（Ｓ４０）。
【００３２】
〔３．効果〕
以上のような本実施形態によれば、次のような効果が得られる。
【００３３】
まず、「スピーカ種別の指定」が「サラウンド用スピーカの指定」である場合には、音場空間の前方左側のサラウンド用スピーカＬと後方右側のサラウンド用スピーカＲＳから第１のノイズＮａを出力し、音場空間の前方右側のサラウンド用スピーカＲと後方左側のサラウンド用スピーカＬＳから第２のノイズＮｂを出力することにより、聴覚的なノイズの広がりを確保しながら、しかも、発生させるノイズを少なくすることができる。
【００３４】
すなわち、人間の聴覚特性として、前後間の音源定位は曖昧であるため、音場空間における前方の左右片側と、後方の左右反対側という位置関係にある複数のスピーカから同一のノイズを出力した場合には、ノイズがセンター部分に定位されることはなく、音場空間の聴取位置Ｐでの聴覚的なノイズの広がりは確保される。そして、前方と後方のそれぞれにおいて左右に存在する計４つのサラウンド用スピーカＬ，Ｒ，ＬＳ，ＲＳに対して、２種類のノイズＮａ，Ｎｂだけを発生させればよいため、これに前方中央のサラウンド用スピーカに供給するノイズＮｃを加えた計３種類のノイズＮａ〜Ｎｃを発生させるだけで、５つのサラウンド用スピーカの全てにノイズを供給することができる。
【００３５】
本実施形態においてはさらに、音場空間における前方左側のステレオ用スピーカＳＴ−Ｌと、前方左側および後方右側のサラウンド用スピーカＬ，ＲＳという３つのスピーカから第１のノイズＮａを出力し、前方右側のステレオ用スピーカＳＴ−Ｒと、前方右側および後方左側のサラウンド用スピーカＲ，ＬＳという３つのスピーカから第２のノイズＮｂを出力することができる。
【００３６】
この場合、計６つのスピーカに対して、２種類のノイズＮａ，Ｎｂだけを発生させればよいため、スピーカの数に対して発生させるノイズをさらに少なくすることができる。また、一般的に、ステレオ用スピーカとサラウンド用スピーカから同時にノイズを出力させるという使用法は考えられないので、前方の左右同じ側のステレオ用スピーカとサラウンド用スピーカから出力させるノイズを同一としても不都合はない。
【００３７】
以上のように、本実施形態においては、特定の位置関係にある複数のスピーカから同一のノイズを出力させることにより、聴覚的なノイズの広がりを確保して有効な聴覚チェックを実現しながら、しかも、発生させるノイズを３種類のみと少なくすることができる。したがって、スピーカの数が多い場合でも、ノイズ発生用の構成を簡略化でき、音声処理ユニット２０を小規模ハードウェアで実現することができる。
【００３８】
〔４．他の実施形態〕
なお、本発明は、前述した各実施形態に限定されるものではなく、本発明の範囲内で他にも多種多様な変形例が実施可能である。例えば、前記実施形態においては、ノイズごとにノイズ発生器を設けたが、単一のノイズ発生源で発生させたノイズを複数のノイズ発生器で加工して複数のノイズを生成するように構成してもよい。
【００３９】
また、前記実施形態においては、７つのスピーカからなるスピーカシステムを対象としたが、本発明は、少なくとも、音場空間を構成する前方と後方に左右のスピーカがそれぞれ配置されている構成を有する限り、多様な構成のスピーカシステムに対して同様に適用可能であり、同様に優れた効果が得られるものである。さらに、本発明における装置構成やその具体的な動作は、対象となるスピーカシステムや使用する聴覚チェック方法に応じて自由に変更可能である。
【図面の簡単な説明】
【００４０】
【図１】本発明を適用した１つの実施形態に係る音声調整用ノイズ発生装置を示す構成図。
【図２】図１に示す音声調整用ノイズ発生装置によるノイズ供給先となるスピーカシステムの配置と供給するノイズを示す図。
【図３】図１に示す音声調整用ノイズ発生装置の動作を示すフローチャート。
【符号の説明】
【００４１】
１０…操作ユニット
１１…入力部
１２…信号出力部
２０…音声処理ユニット
２１…デジタルシグナルプロセッサ（ＤＳＰ）
２０１〜２０３…ノイズ発生器
２１０…セレクタ
２２…Ｄ／Ａ変換器
Ｎａ〜Ｎｃ…ピンクノイズ
ＳＴ−Ｌ，ＳＴ−Ｒ…ステレオ用スピーカ
Ｌ，Ｒ，Ｃ，ＬＳ，ＲＳ…サラウンド用スピーカ
【図１】
2006094129.tif 000003
【図２】
2006094129.tif 000004
【図３】
2006094129.tif 000005